(57)【要約】【課題】転送ビットレートを一定にしつつ、複数のビデオカメラで撮影された各ＡＶデータを一括管理して容易に編集する。【解決手段】ノンリニアアクセス可能な記録媒体を有するストレージ装置２と、外部から供給されたデータのストレージ装置２への出力し又はストレージ装置２からのデータの入力を制御する制御部１１、更に記録媒体へデータを記録する際に取得される記録情報をファイルシステムを介して管理する記録情報管理部２２を有する１以上の入出力装置３よりシステムを構成し、再生時において、ファイルシステムにより管理されている記録情報に基づいてストレージ装置２からデータ入力を制御する。【選択図】  図２
2005006220.tif 000002
【特許請求の範囲】
【請求項１】
ノンリニアアクセス可能な記録媒体を有する記録装置に対してデータを出力し、或いは上記記録装置からのデータの入力を制御する入出力装置において、
外部から供給されたデータの上記記録装置への出力、又は上記記録装置からのデータの入力を制御する入出力制御手段と、
上記記録媒体へデータが記録される際に取得される記録情報をファイルシステムを介して管理する記録情報管理手段とを備え、
上記入出力制御手段は、上記記録情報管理手段におけるファイルシステムにより管理されている記録情報に基づいて上記記録装置からのデータの入力を制御すること
を特徴とする入出力装置。
【請求項２】
他の端末装置との間で少なくとも上記記録情報を送受信するための通信手段をさらに備え、
上記通信手段は、上記記録情報管理手段において未管理の記録情報に基づき上記入出力制御手段において上記記録装置からのデータの入力を制御する場合には、他の端末装置から上記未管理の記録情報を受信し、
上記入出力制御手段は、上記通信手段を介して受信された上記未管理の記録情報に基づいて当該データの入力を制御すること
を特徴とする請求項１記載の入出力装置。
【請求項３】
上記入出力制御手段は、ビデオカメラから送信される映像又は音楽データの上記記録装置に対する入力、又は出力を制御すること
を特徴とする請求項１記載の入出力装置。
【請求項４】
ノンリニアアクセス可能な記録媒体を有する記録装置に対してデータを出力し、或いは上記記録装置からのデータの入力を制御する入出力装置において、
外部から供給されたデータの上記記録装置への出力、又は上記記録装置からのデータの入力を制御する入出力制御手段と、
上記記録媒体へデータが記録される際に取得される記録情報をファイルシステムを介して管理する記録情報管理装置との間で、上記記録情報を送受信する通信手段とを備え、
上記入出力制御手段は、上記記録情報管理装置から受信した記録情報に基づいて上記記録装置からのデータの入力を制御すること
を特徴とする入出力装置。
【請求項５】
他の端末装置との間で少なくとも上記記録情報を送受信するための通信手段をさらに備え、
上記通信手段は、上記記録情報管理装置において未管理の記録情報に基づき上記入出力制御手段において上記記録装置からのデータの入力を制御する場合には、他の端末装置から上記未管理の記録情報を受信し、
上記入出力制御手段は、上記通信手段を介して受信された上記未管理の記録情報に基づいて当該データの入力を制御すること
を特徴とする請求項４記載の入出力装置。
【請求項６】
上記入出力制御手段は、ビデオカメラから送信される映像又は音楽データの上記記録装置に対する入力、又は出力を制御すること
を特徴とする請求項４記載の入出力装置。
【請求項７】
ノンリニアアクセス可能な記録媒体を有する記録装置と、
外部から供給されたデータの上記記録装置への出力、又は上記記録装置からのデータの入力を制御し、更に上記記録媒体へデータが記録される際に取得される記録情報をファイルシステムを介して管理する記録情報管理手段を有する１以上の入出力装置とを備え、
上記入出力装置は、上記記録情報管理手段におけるファイルシステムにより管理されている記録情報に基づいて上記記録装置からのデータの入力を制御すること
を特徴とする入出力管理システム。
【請求項８】
上記入出力装置は、上記記録情報管理手段におけるファイルシステムにおいて未管理の記録情報に基づき上記記録装置からのデータの入力を制御する場合において、他の入出力装置との間で確立された通信経路を介して上記未管理の記録情報を取得すること
を特徴とする請求項７記載の入出力管理システム。
【請求項９】
上記入出力装置は、ビデオカメラから送信される映像又は音楽データの上記記録装置に対する入力、又は出力を制御すること
を特徴とする請求項７記載の入出力管理システム。
【請求項１０】
ノンリニアアクセス可能な記録媒体を有する記録装置と、
外部から供給されたデータの上記記録装置への出力、又は上記記録装置からのデータの入力を制御する１以上の入出力装置と、
上記記録媒体へデータを記録する際に取得される記録情報をファイルシステムを介して管理する記録情報管理装置とを備え、
上記入出力装置は、上記記録情報管理装置におけるファイルシステムにより管理されている記録情報に基づいて上記記録装置からのデータの入力を制御すること
を特徴とする入出力管理システム。
【請求項１１】
上記入出力装置は、上記記録情報管理装置におけるファイルシステムにおいて未管理の記録情報に基づき上記記録装置からのデータの入力を制御する場合において、他の入出力装置との間で確立された通信経路を介して上記未管理の記録情報を取得すること
を特徴とする請求項１０記載の入出力管理システム。
【請求項１２】
上記記録情報管理装置は、上記１以上の入出力装置毎に設けられてなること
を特徴とする請求項１０記載の入出力管理システム。
【請求項１３】
上記入出力装置は、ビデオカメラから送信される映像又は音楽データの上記記録装置に対する入力、又は出力を制御すること
を特徴とする請求項１０記載の入出力管理システム。
【発明の詳細な説明】
【０００１】
【発明の属する技術分野】
本発明は、ノンリニアアクセス可能な記録媒体を有する記録装置に対してデータを出力し、或いは上記記録装置からのデータの入力を制御する入出力装置及び入出力管理システムに関する。
【０００２】
【従来の技術】
従来、放送局により行われる番組放送では、放送用のビデオカメラで撮影した素材としての音声や映像（以下、ＡＶという。）データを、ノンリニアアクセス可能なサーバへ一度記録する。そして、サーバから事後的に再生される上記ＡＶデータに対して、更にコマーシャル用のＡＶデータ等を挿入することによりテレビジョン放送用に編集して、これを放送網へ送出する。このような用途におけるＡＶデータの記録又は再生処理は、例えば特許文献１に示すようなデータ記録再生装置を介して実行される。
【０００３】
図７は、かかるデータ記録再生装置の構成を示している。このデータ記録再生装置９において、外部から入力されたＡＶデータを記録する場合には、端子６１Ａを介して入力されたデータをエンコーダ６２にて圧縮し、更にこれをバッファメモリ６６に一時的に記憶する。データ管理部３４は、自己に割り当てられたタイムスロットの期間において記録再生部３３へアクセスし、バッファメモリ６６に記憶されたデータにつき内部バス３０を介して記録再生部３３へ転送する。
【０００４】
記録再生部３３では、転送されてきたデータをバッファメモリ４９へ一時的に記憶させた後これを所定の単位で分割し、更にパリティデータを付加しつつこれをＨＤＤ４５に記録する。
【０００５】
またＨＤＤ４５に記録されているデータを外部へ出力する場合には、先ずデータ管理部３４が自己に割り当てられたタイムスロットの期間において、記録再生部３３へアクセスしてデータの再生を要求する。記録再生部３３は、かかる要求を受けてビデオ用ディスクコントローラ４７がＨＤＤ４５に記録されているデータ並びにパリティデータを読み出して、エラー訂正を施し、ＡＶデータを再生する。この再生されたＡＶデータは、バッファメモリ４９へ一時的に記憶された後、読み出されて内部バス３０を介してデータ管理部３４へ転送される。
【０００６】
この転送されたＡＶデータは、データ管理部３４におけるバッファメモリ６７を経てデータ入出力部３７Ｂ内のデコータ６３によって伸長され、スイッチ６５を経て端子６１Ｂより外部へ出力される。
【０００７】
また、このＡＶデータに更にコマーシャル用のＡＶデータ等を挿入することによりテレビジョン放送用に編集する場合において、編集部５１は、外部より入力されたデータ或いは記録再生部３３により再生されたデータの少なくとも一方を抽出してこれを実行する。編集部５１は、抽出したデータにつき自己が有するマトリックススイッチャやオーディオミキサ等を利用し、また必要に応じて特殊効果部３９を利用してこれを編集する。
【０００８】
即ち、この従来のデータ記録再生装置では、１台の装置によりデータの記録再生、入出力及び編集の機能を有することになる。
【０００９】
【特許文献１】
特開２０００−１４９４１０号公報
【００１０】
【発明が解決しようとする課題】
ところで、放送する番組中に回想シーンやカット等を数多く設ける場合には、複数のビデオカメラで撮影した素材としてのＡＶデータを１つの大容量のサーバへ記録し、これを編集する必要がある。かかる場合において、このＡＶデータをファイルとして管理するために、その記録開始位置や記録終了位置等の記録情報を管理するためのファイルシステムも必要となる。
【００１１】
しかしながら、従来におけるファイルシステムは、例えばＭＡＶ−２０００形式等のようにデータ記録再生装置内に構成される場合が殆どであり、更に、ビデオカメラから入力されるＡＶデータを各データ記録再生装置内に配設されたサーバに格納する構成としていた。このため、複数のビデオカメラで撮影された各ＡＶデータを１つのサーバで共有することができず、またこれらＡＶデータを一括管理して編集することが困難になるという問題点があった。
【００１２】
また、編集時において、サーバとの間で送受信する電気信号を、帯域幅が一定であるＡＶデータのみで構成することにより、転送ビットレートを一定にする必要もあった。
【００１３】
そこで、本発明は、上述した問題点を解決するために案出されたものであり、その目的とするところは、転送ビットレートを一定にしつつ、複数のビデオカメラで撮影された各ＡＶデータを一括管理して容易に編集することができる入出力装置及び入出力管理システムを提供することにある。
【００１４】
【課題を解決するための手段】
本発明に係る入出力装置は、上述の課題を解決するために、ノンリニアアクセス可能な記録媒体を有する記録装置に対してデータを出力し、或いは上記記録装置からのデータの入力を制御する入出力装置において、外部から供給されたデータの上記記録装置への出力、又は上記記録装置からのデータの入力を制御する入出力制御手段と、  上記記録媒体へデータが記録される際に取得される記録情報をファイルシステムを介して管理する記録情報管理手段とを備え、上記入出力制御手段は、上記記録情報管理手段におけるファイルシステムにより管理されている記録情報に基づいて上記記録装置からのデータの入力を制御する。
【００１５】
本発明に係る入出力装置は、上述の課題を解決するために、ノンリニアアクセス可能な記録媒体を有する記録装置に対してデータを出力し、或いは上記記録装置からのデータの入力を制御する入出力装置において、外部から供給されたデータの上記記録装置への出力、又は上記記録装置からのデータの入力を制御する入出力制御手段と、  上記記録媒体へデータが記録される際に取得される記録情報をファイルシステムを介して管理する記録情報管理装置との間で、上記記録情報を送受信する通信手段とを備え、上記入出力制御手段は、上記記録情報管理装置から受信した記録情報に基づいて上記記録装置からのデータの入力を制御する。
【００１６】
本発明に係る入出力管理システムは、上述の課題を解決するために、ノンリニアアクセス可能な記録媒体を有する記録装置と、外部から供給されたデータの上記記録装置への出力、又は上記記録装置からのデータの入力を制御し、更に上記記録媒体へデータが記録される際に取得される記録情報をファイルシステムを介して管理する記録情報管理手段を有する１以上の入出力装置とを備え、上記入出力装置は、上記記録情報管理手段におけるファイルシステムにより管理されている記録情報に基づいて上記記録装置からのデータの入力を制御する。
【００１７】
本発明に係る入出力管理システムは、上述の課題を解決するために、ノンリニアアクセス可能な記録媒体を有する記録装置と、外部から供給されたデータの上記記録装置への出力、又は上記記録装置からのデータの入力を制御する１以上の入出力装置と、  上記記録媒体へデータを記録する際に取得される記録情報をファイルシステムを介して管理する記録情報管理装置とを備え、上記入出力装置は、上記記録情報管理装置におけるファイルシステムにより管理されている記録情報に基づいて上記記録装置からのデータの入力を制御する。
【００１８】
【発明の実施の形態】
以下、本発明の実施の形態について図面を参照しながら詳細に説明する。本発明を適用した入出力管理システム１は、例えば図１に示すように、ノンリニアアクセス可能な記録媒体を有するストレージ装置２と、ストレージ装置２に対してデータを出力し、或いはストレージ装置２からのデータの入力を制御する入出力装置３を備えている。
【００１９】
入出力装置３は、通常、放送局内のビデオカメラに接続され、ビデオカメラから送信される映像又は音楽データ（以下、ＡＶデータという。）につき記録情報を取得しつつストレージ装置２へ記録すべく出力し、またストレージ装置２からのＡＶデータが入力され、これを放送網へ送出する。即ち、この入出力装置３は、外部から供給されたＡＶデータのストレージ装置２への出力、又はストレージ装置２からのデータの入力を制御する。また、この入出力装置３には、ビデオカメラから所定のコマンドが送信され、当該コマンドに基づいて所定の動作を実行する。この入出力装置３内には、記録情報を管理するためのファイルシステムが構成されている。この入出力装置３は、再生時において、当該ファイルシステムを参照しつつストレージ装置２内に蓄積されているＡＶデータを読み出す。このとき、入出力装置３は、読み出したＡＶデータに対して、更にコマーシャル用のＡＶデータ等を挿入することによりテレビジョン放送用に編集し直すようにしてもよい。
【００２０】
図２は、この入出力装置３のブロック構成を示している。この入出力装置３は、例えばパーソナルコンピュータ（ＰＣ）等として構成され、ＡＶデータやコマンドを転送するための内部バス１０を備えている。この内部バス１０には、少なくとも入出力装置３の各構成要素を制御するＣＰＵを有する制御部１１と、データ管理部１３と、編集部１６が接続され、更に上記ストレージ装置２との間でＡＶデータを入出力するための入出力端１４が少なくとも接続されている。またデータ管理部１３Ａ，Ｂには、それぞれエンコーダ１７Ａ、デコーダ１７Ｂが接続され、さらにこのエンコーダ１７Ａ、デコーダ１７Ｂにはそれぞれスイッチ１８Ａ、１８Ｂが接続されている。
【００２１】
制御部１１は、外部から供給されたＡＶデータのストレージ装置２への出力、又はストレージ装置２からのデータの入力を制御する記録再生制御部２１と、記録時において記録再生制御部２１からのアクセスを受けて、記録すべきＡＶデータに関する記録情報を発行し、これを管理する記録情報管理部２２により構成される。即ち、この記録情報管理部２２は、上記ＡＶデータをファイリングしてストレージ装置２へ記録し、或いはストレージ装置２からのＡＶデータの再生処理を制御する。記録情報管理部２２は、ストレージ装置２へＡＶデータを記録する際に常時記録情報が取得されることになる。ちなみに、この記録情報は、例えばＡＶデータファイルのストレージ装置２における記録領域や記録開始位置、記録終了位置等により構成され、これらは、記録情報管理部２２におけるファイルシステムにおいて管理されることになる。なお、この制御部１１は、イーサネット（登録商標）等の外部ネットワークを介してＡＶデータを入出力する図示しないネットワークドライバを備えるようにしてもよい。
【００２２】
エンコーダ１７Ａ、データ管理部１３Ａ並びにスイッチ１８Ａは、１つのポート２０Ａを構成し、またデコーダ１７Ｂ、データ管理部１３Ｂ並びにスイッチ１８Ｂは、１つのポート２０Ｂを構成している。
【００２３】
エンコーダ１７Ａは、ＳＤＩ規格のデータを圧縮する。スイッチ１８Ａは、制御部１１により切換制御され、一方の入力端は端子２５Ａへ接続され、他方の入力端は編集部１６へ接続され、出力端はエンコーダ１７Ａの入力端に接続されている。ちなみに、端子２５Ａは編集部１６にも接続されている。
【００２４】
デコーダ１７Ｂは、圧縮されたデータを伸長してＳＤＩ規格のデータに変換する。スイッチ１８Ｂは、制御部１１により切換制御される２入力１出力の切換スイッチであり、一方の入力端は編集部１６へ接続され、他方の入力端はデコーダ１７Ｂの出力端へ接続され、出力端は端子２５Ｂに接続される。ちなみに、デコーダ１７Ｂの出力端は、編集部１６にも接続されている。
【００２５】
データ管理部１３Ａは、エンコーダ１７Ａの出力端と内部バス１０との間に介挿されたバッファメモリを有している。データ管理部１３Ｂは、デコーダ１７Ｂの出力端と内部バス１０との間に介挿されたバッファメモリを有している。データ管理部１３Ａは、制御部１１からのコマンドに応じて端子２５Ａから供給されたＡＶデータを一時的に格納し、或いはこれを入出力端１４へ転送する。入出力端１４へ転送されたＡＶデータは、ストレージ装置２へ供給されることになる。データ管理部１３Ｂは、制御部１１からのコマンドに応じて、ストレージ装置２から入出力端１４を介して供給されるＡＶデータを一時的に格納し、或いはこれをデコーダ１７Ｂへ出力する。
【００２６】
次に、本発明を適用した入出力装置３の動作について説明をする。
【００２７】
外部より入力されたＡＶデータを記録する場合において、先ず端子２５ＡにＡＶデータが供給される。このＡＶデータは、スイッチ１８Ａを経てエンコーダ１７Ａに入力されて圧縮される。圧縮されたＡＶデータは、データ管理部１３Ａにおけるバッファメモリに一時的に格納される。この間記録再生制御部２１は、割り当てられたタイムスロットの期間においてストレージ装置２へアクセスし、バッファメモリに格納されたＡＶデータは、内部バス１０、入出力端１４を介してストレージ装置２へ転送されることになる。このとき、記録情報管理部２２において、上記ＡＶデータのストレージ装置２における記録領域や記録開始位置、更には記録終了位置等を示す記録情報が同時に生成される。
【００２８】
ストレージ装置２に記録されているＡＶデータを外部へ出力する場合において、先ず記録再生制御部２１は、記録情報管理部２２におけるファイルシステムへアクセスすることにより、再生するＡＶデータの記録情報を取得する。そして、記録再生制御部２１は、この記録情報に基づいて、ストレージ装置２へアクセスする。ストレージ装置２は、記録再生制御部２１によるアクセスを受けて、上記記録情報に基づく記録位置にあるＡＶデータを入出力装置３へ送信する。入出力端１４を介して入出力装置３内へ供給されたＡＶデータは、データ管理部１３Ｂにおけるバッファメモリへ一時的に格納された後、デコーダ１７Ｂにより伸長され、スイッチ１８Ｂ、端子２５Ｂを介して外部へ送出される。
【００２９】
また、このＡＶデータに更にコマーシャル用のＡＶデータ等を挿入することによりテレビジョン放送用に編集する場合において、編集部１６は、外部より入力されたＡＶデータ或いはストレージ装置２から読み出されたＡＶデータの何れかを抽出してこれを実行する。編集部１６は、抽出したデータにつき自己が有するマトリックススイッチャやオーディオミキサ等を利用し、また必要に応じて図示しない特殊効果部を利用してこれを編集する。
【００３０】
即ち、上述の如き構成からなる入出力管理システム１並びに入出力装置３では、以下の点において有利となる。
【００３１】
帯域幅がほぼ固定されているＡＶデータに対して、記録情報やこの記録情報の有無を問い合わせるための信号の帯域幅は不規則である。このため、ストレージ装置２自体に記録情報を管理するためのファイルシステムを設けると、ストレージ装置２と入出力装置３ｄ間において送受信する電気信号としては、上述したＡＶデータに加えて更に、記録情報等も加わることになり、ストレージ装置２と入出力装置３ｄ間の転送ビットレートを一定にすることができず、両者間の通信経路の設計が困難になるという問題点も生じる。
【００３２】
これに対して、ＡＶデータの記録情報を管理するファイルシステムをストレージ装置２と切り離して別の装置構成することができる入出力管理システム１では、ストレージ装置２と入出力装置３間において送受信する電気信号をＡＶデータのみで構成することができ、転送ビットレートを一定にすることができ、円滑な再生処理を実行することが可能となる。
【００３３】
次に、図３乃至図６を用いて、本発明を適用した他のシステム構成例につき説明をする。
【００３４】
図３に示す入出力管理システム４は、ノンリニアアクセス可能な記録媒体からなるストレージ装置２と、このストレージ装置２に対してデータを記録し、また当該データを再生するための入出力装置３ａと、記録情報を管理する記録情報管理装置８１とを備えている。
【００３５】
この記録情報管理装置８１は、上述した記録情報管理部２２のみを入出力装置３ａと別の装置として構成したものである。この記録情報管理装置８１には、記録情報を管理するためのファイルシステムが構築されることになる。
【００３６】
入出力装置３ａの構成は、上述した制御部１１における記録情報管理部２２を省略した構成とされる。このとき入出力装置３ａは、記録再生制御部２１に接続される端子９１を介して記録情報管理装置８１との間で記録情報を送受信する。
【００３７】
即ち、この入出力管理システム４のように、ストレージ装置２と、入出力装置３ａと、ファイルシステムを構成する記録情報管理装置８１とをそれぞれ別々の装置として構成しても、上記入出力管理システム１と同一の効果を得ることができる。
【００３８】
図４に示す入出力管理システム５は、ストレージ装置２と、このストレージ装置２に対してデータを記録し、また当該データを再生する複数の入出力装置３ｂとを備えている。
【００３９】
各入出力装置３ｂの構成は、上述した入出力装置３と同様であるので説明を省略する。ちなみに、この入出力管理システム５において、入出力装置３ｂ毎にそれぞれ異なるビデオカメラが接続される。各入出力装置３ｂには、各ビデオカメラで撮影された独自のＡＶデータが供給されることになる。
【００４０】
各入出力装置３ｂは、単一のストレージ装置２にアクセスし、このストレージ装置２に対してＡＶデータを記録する際に記録情報を取得し、当該記録情報は、各入出力装置３ｂにおけるファイルシステム内で管理される。再生時において各入出力装置３ｂは、各自のファイルシステムにおいて管理されている記録情報を参照しつつ、ストレージ装置２に記録されているＡＶデータを読み出して編集し、放送網へ送出する。
【００４１】
即ち、この入出力管理システム５は、単一のストレージ装置２に対して、複数の入出力装置３ｂが接続され、その複数の入出力装置３ｂそれぞれのファイルシステムにより、ストレージ装置２に記録されたＡＶデータの記録情報を管理する。これにより、複数のビデオカメラで撮影されたＡＶデータを１つのストレージ装置２で共有することが可能となり、これらを編集用の素材データとして活用することが可能となる。使用するビデオカメラの数や撮影により得られるＡＶデータの容量に応じて、このストレージ装置２のサイズを大容量化することにより、システムの活用範囲を拡大することも可能となる。
【００４２】
図５に示す入出力管理システム６は、上述した入出力管理システム５において、複数の入出力装置３間で相互に通信する機能を設けたものである。
【００４３】
この入出力管理システム６では、入出力装置３ｃ間において別途通信経路１００が確立される。入出力装置３ｃは、この通信経路１００を介して他の入出力装置３ｃに対し記録情報の有無を問い合わせ、他の入出力装置３ｃのファイルシステムにおいて記録情報が存在する場合にはこれにつき通信経路１００を介して受信する。ちなみに、この通信経路１００は、有線であってもよいし、無線であってもよい。
【００４４】
各入出力装置３ｃの構成は、上述した入出力装置３の構成と同一であるが、制御部１１において入出力装置３ｃ間で通信するための通信機能が設けられる点において、入出力装置３と異なる。各入出力装置３ｃは、サーバに記録されているＡＶデータを再生する場合には、先ず自己のファイルシステムにアクセスし、その再生を望むＡＶデータに関する記録情報の存在を確認する。その結果、自己のファイルシステムにおいて当該記録情報が存在する場合には、これを参照してストレージ装置２からＡＶデータを読みだす。これにより、記録情報の探索に対する応答性を高くすることにより、ストレージ装置２内に記録されているＡＶデータを迅速に読み出すことが可能となる。
【００４５】
一方、自己のファイルシステムにおいて当該記録情報が存在しない場合には、通信経路１００を介して、他の入出力装置３ｃに対して当該記録情報の存在を問い合わせる。他の入出力装置３ｃは、かかる問い合わせを受けて自身のファイルシステムにアクセスし、当該記録情報の存在を確認する。その結果、他の入出力装置３ｃは、自身のファイルシステムにおいて当該記録情報の存在を確認した場合には、これにつき通信経路１００を介して上記問い合わせを受けた入出力装置３ｃへ転送する。一方、自己のファイルシステムにおいて当該記録情報の存在を確認できなかった場合には、その旨を上記問い合わせを受けた入出力装置３ｃへ返信する。
【００４６】
このようにして、ＡＶデータの再生を望む各入出力装置３ｃは、先ず自己のファイルシステムへアクセスして、当該ＡＶデータに関する記録情報を確認し、次に通信経路１００を介して他の入出力装置３ｃに対して当該記録情報の有無を問い合わせる。即ち、記録情報の有無を自己のファイルシステムから優先的に問い合わせることにより、記録情報の探索に対する応答性を速くすることができる。また入出力装置３ｃは自己のファイルシステムにおいて記録情報が存在しない場合には、他の入出力装置３ｃに対して順次問い合わせを実行することにより、これを容易に取得することが可能となる。即ち、この入出力管理システム６では、一の入出力装置３ｃからストレージ装置２へ記録されたＡＶデータを他の入出力装置３ｃから容易に読み出すことが可能となる。
【００４７】
即ち、入出力管理システム６では、各入出力装置３ｃで管理される記録情報を相互に送受信することができるため、接続されるビデオカメラ数並びに入出力装置３ｃ数が増加し、ひいては入出力管理システム６全体で取り扱うＡＶデータ数が増加しても、これらをストレージ装置２で一括して蓄積することができ、各入出力装置３ｃにおいて数多くのＡＶデータを盛り込んだテレビジョン放送用のデータを再編集することも可能となる。
【００４８】
なお、この入出力管理システム５又は入出力管理システム６において、上述した実施の形態に限定されるものではなく、例えば上述した記録情報管理部２２のみを入出力装置３ｃと別の装置として構成した記録情報管理装置８１を各入出力装置３ｃに接続するようにしてもよいことは勿論である。
【００４９】
図６に示す入出力管理システム７は、上述した入出力管理システム６において、更に記録情報を管理する記録情報管理装置８７を各入出力装置３ｄ間で共通化したものである。即ち、この入出力管理システム７は、ストレージ装置２と、このストレージ装置２に対してデータを記録し、また当該データを再生する１又は複数の入出力装置３ｄと、記録情報を管理する１つの記録情報管理装置８７とを備えている。
【００５０】
この記録情報管理装置８７は、上述した記録情報管理部２２のみを入出力装置３ｄと別の装置として構成したものであり、例えばＰＣ等で構成される。この記録情報管理装置８７には、各入出力装置３ｄからストレージ装置２へ記録されるＡＶデータに関する記録情報を集中管理するためのファイルシステムが構築されることになる。この記録情報管理装置８７内に構築されるファイルシステムは、各入出力装置３ｄからストレージ装置２へ記録された全てのＡＶデータに関する記録情報を管理する。
【００５１】
ちなみに記録情報管理装置８７は、入出力装置３ｄとの間で、例えばストレージ装置２に記録されているＡＶデータファイルのＯＰＥＮ、ＣＬＯＳＥを要求するためのコマンド、ファイル名を変更するためのコマンド、ＡＶデータファイルを削除するためのコマンドを送受信する。
【００５２】
この入出力管理システム６では、入出力装置３ｄ間並びに記録情報管理装置８７において別途通信経路１０１が確立され、各入出力装置３ｄは、この通信経路１０１を介して記録情報管理装置８７に対して記録情報の有無を問い合わせる。ちなみに、この通信経路１０１は、有線であってもよいし、無線であってもよい。
【００５３】
入出力装置３ｄの構成は、上述した制御部１１における記録情報管理部２２を省略した構成とされ、更に、制御部１１において入出力装置３ｄ間並びに記録情報管理装置８７との間で通信するための通信機能が設けられる。
【００５４】
各入出力装置３ｃは、ストレージ装置２に記録されているＡＶデータを再生する場合には、先ず記録情報管理部２７へアクセスする。そして、その再生を望むＡＶデータに関する記録情報を取得する。そして各入出力装置３ｃは、この記録情報に基づきストレージ装置２に記録されているＡＶデータを再生する。
【００５５】
即ち、この入出力管理システム７では、上述した効果に加えて、帯域幅の不規則な記録情報又はこれを問い合わせるための信号の通信経路と、ＡＶデータの通信経路を切り離す構成とすることにより、ストレージ装置２と入出力装置３ｄ間の転送ビットレートを一定にすることができ、また記録情報の問い合わせに対する応答性を向上させることができ、円滑な再生処理を実行することが可能となる。
【００５６】
なお、上述した例ではあくまで制御部１１がＡＶデータをファイリングしてストレージ装置２へ記録するとともに当該ストレージ装置２への記録情報を取得する場合につき説明をしたが、かかる場合に限定されるものではない。例えば、記録時において記録情報管理部２２より記録領域や記録開始位置を示す記録情報を生成され、当該記録情報に基づいてストレージ装置２に対してＡＶデータを記録するようにしてもよい。
【００５７】
また、本発明を適用した入出力管理システムは、例えば放送局内で構築されるＬＡＮ（Ｌｏｃａｌ  Ａｒｅａ  Ｎｅｔｗｏｒｋ）に適用する場合を想定しているが、かかる場合に限定されるものではない。例えば、ストレージ装置２と入出力装置３、及び／又は入出力装置３どうしをイーサネット（登録商標）等のネットワークで接続することにより、放送局内に限らず、遠隔地域から送信されるＡＶデータを記録再生するようにしてもよい。
【００５８】
また、本発明を適用した入出力装置３は、例えばインターフェース中に設けられる入出力インターフェース装置として適用するようにしてもよい。
【００５９】
また、上述した実施の形態では、記録再生するデータとしてＡＶデータを使用する場合を想定して説明したが、かかる場合に限定されるものではなく、他のデータを記録再生するようにしてもよいことは勿論である。
【００６０】
【発明の効果】
以上詳細に説明したように、本発明を適用した入出力装置及び入出力管理システムでは、データの記録情報を管理するファイルシステムと、ストレージ装置とを切り離した装置構成とすることができるため、ストレージ装置と入出力装置間において送受信する電気信号をＡＶデータのみで構成することができ、転送ビットレートを一定にすることができるため、円滑な再生処理を実行することが可能となる。
【００６１】
また、本発明を適用した入出力装置及び入出力管理システムでは、複数のビデオカメラで撮影されたＡＶデータを１つのストレージ装置で共有することが可能となり、これらを編集用の素材データとして活用することが可能となる。このため、用途に応じて入出力装置の数を増減することができ、コストを大幅に削減することが可能となる。
【図面の簡単な説明】
【図１】本発明を適用した入出力管理システムの構成につき説明するための図である。
【図２】本発明を適用した入出力装置のブロック構成図である。
【図３】他のシステム構成例につき説明するための図である。
【図４】サーバに対してデータを記録し、また当該データを再生する複数の入出力装置を備えた入出力管理システムを示す図である。
【図５】複数の入出力装置間で相互に通信する機能を設けた入出力管理システムを示す図である。
【図６】記録情報を管理する記録情報管理装置を各入出力装置間で共通化する場合につき説明するための図である。
【図７】従来におけるデータ記録再生装置の構成につき説明するための図である。
【符号の説明】
１  入出力管理システム、２  サーバ、３  記録再生装置、１０  内部バス、１１  制御部、１３  データ管理部、１４  入出力端、１６  編集部、１７Ａ  エンコーダ、１７Ｂ  デコーダ、１８  スイッチ、２１  記録再生制御部、２２
記録情報管理部、
【図１】
2005006220.tif 000003
【図２】
2005006220.tif 000004
【図３】
2005006220.tif 000005
【図４】
2005006220.tif 000006
【図５】
2005006220.tif 000007
【図６】
2005006220.tif 000008
【図７】
2005006220.tif 000009